【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
筐体と、
前記筐体の中に重ねて配された第１の放射線撮像パネル及び第２の放射線撮像パネルと、
前記第１の放射線撮像パネルと前記第２の放射線撮像パネルとの間に配された放射線吸収部と、
を含む放射線検出装置であって、
前記放射線吸収部は、Ｋ吸収端のエネルギが３８ｋｅＶ以上かつ６０ｋｅＶ以下に存在する元素を含む第１部材と、第２部材と、を含み、
前記第１部材が、ランタン、セリウム、プラセオジウム、ネオジウム、プロメチウム、サマリウム、ユウロピウム、ガドリニウム、テルビウム、ジスプロシウム、ホルミウム、エルビウム、及び、ツリウムのうち少なくとも１つの元素を含む粒子が添加された樹脂を含み、
前記第２部材が、銅、銀、亜鉛、スズのうち少なくとも１つを含む金属板を含むことを特徴とする放射線検出装置。
【請求項２】
筐体と、
前記筐体の中に重ねて配された第１の放射線撮像パネル及び第２の放射線撮像パネルと、
前記第１の放射線撮像パネルと前記第２の放射線撮像パネルとの間に配された放射線吸収部と、を含む放射線検出装置であって、
前記放射線吸収部は、Ｋ吸収端のエネルギが３８ｋｅＶ以上かつ６０ｋｅＶ以下に存在する元素を含む第１部材と、前記元素以外の元素を含む第２部材と、を含み、
前記第１部材が、ランタン、セリウム、プラセオジウム、ネオジウム、プロメチウム、サマリウム、ユウロピウム、ガドリニウム、テルビウム、ジスプロシウム、ホルミウム、エルビウム、及び、ツリウムのうちから選ばれたうち少なくとも１つのランタノイドを含む化合物粒子が添加された樹脂を含み、
前記第２部材が、銅、銀、亜鉛、スズのうち少なくとも１つを含む金属板を含むことを特徴とする放射線検出装置。
【請求項３】
筐体と、
前記筐体の中に重ねて配された第１の放射線撮像パネル及び第２の放射線撮像パネルと、
前記第１の放射線撮像パネルと前記第２の放射線撮像パネルとの間に配された放射線吸収部と、
を含む放射線検出装置であって、
前記放射線吸収部は、
ランタン、セリウム、プラセオジウム、ネオジウム、プロメチウム、サマリウム、ユウロピウム、ガドリニウム、テルビウム、ジスプロシウム、ホルミウム、エルビウム、及び、ツリウムのうち少なくとも１つの元素を含む粒子と、樹脂と、を含む第１部材と、
銅、銀、亜鉛、スズのうち少なくとも１つを含む金属板を含む第２部材と、
を含むことを特徴とする放射線検出装置。
【請求項４】
前記第１部材が、前記第１の放射線撮像パネル及び前記第２の放射線撮像パネルに対して、前記第１の放射線撮像パネル及び前記第２の放射線撮像パネルが感知可能な光を発しないことを特徴とする請求項１乃至３のいずれか１項に記載の放射線検出装置。
【請求項５】
前記第２部材が、ランタン、セリウム、プラセオジウム、ネオジウム、プロメチウム、サマリウム、ユウロピウム、ガドリニウム、テルビウム、ジスプロシウム、ホルミウム、エルビウム、及び、ツリウムを含まないことを特徴とする請求項１乃至４のいずれか１項に記載の放射線検出装置。
【請求項６】
前記第１部材が、放射線を可視光に変換しないことを特徴とする請求項１乃至５の何れか１項に記載の放射線検出装置。
【請求項７】
前記第１部材が、１００μｍ以上かつ１０００μｍ以下の膜厚を有することを特徴とする請求項１乃至６の何れか１項に記載の放射線検出装置。
【請求項８】
前記第１の放射線撮像パネル及び前記第２の放射線撮像パネルが、シンチレータと、前記シンチレータで放射線から変換された光を検出するための検出部と、を含むことを特徴とする請求項１乃至７の何れか１項に記載の放射線検出装置。
【請求項９】
前記第１の放射線撮像パネル及び前記第２の放射線撮像パネルの少なくとも一方が、前記シンチレータの反射率確保のための部材を更に含み、
前記第２部材は前記反射率確保のための部材とは別に設けられていることを特徴とする請求項８に記載の放射線検出装置。
【請求項１０】
前記第１の放射線撮像パネル及び前記第２の放射線撮像パネルに含まれる前記検出部が、前記放射線吸収部を介して互いに隣接して配されることを特徴とする請求項９に記載の放射線検出装置。
【請求項１１】
前記放射線検出装置は、前記第１の放射線撮像パネルが前記第２の放射線撮像パネルよりも放射線の入射する側に配され、
前記第１の放射線撮像パネルは、前記シンチレータのうち第１のシンチレータを有し、
前記第２の放射線撮像パネルは、前記シンチレータのうち第２のシンチレータを有し、
前記第１のシンチレータの放射線の吸収率が、前記第２のシンチレータの放射線の吸収率以下であることを特徴とする請求項９又は１０に記載の放射線検出装置。
【請求項１２】
前記第１のシンチレータは、
タリウム活性化ヨウ化セシウム（ＣｓＩ：Ｔｌ）を含み、
前記第１の放射線撮像パネルに配された前記検出部と前記第１のシンチレータとの界面から、前記界面と交差する方向に成長した柱状結晶構造を有し、
前記界面に対する正射影において、前記第１のシンチレータの柱状結晶と柱状結晶同士の間の空隙との面積に対する前記柱状結晶の占める面積の割合を充填率としたとき、
前記第１のシンチレータの膜厚［μｍ］×前記充填率［％］≦８０００［μｍ・％］
であることを特徴とする請求項１１に記載の放射線検出装置。
【請求項１３】
前記放射線吸収部が、可視光を遮光する遮光部材を更に含み、
前記遮光部材が、前記第１の放射線撮像パネルと前記放射線吸収部との間と、前記第２の放射線撮像パネルと前記放射線吸収部との間と、の少なくとも何れかに配されることを特徴とする請求項１乃至１２の何れか１項に記載の放射線検出装置。
【請求項１４】
請求項１乃至１３の何れか１項に記載の放射線検出装置と、
前記放射線検出装置からの信号を処理する信号処理部と、を備えることを特徴とする放射線撮像システム。
【手続補正２】
【補正対象書類名】明細書
【補正対象項目名】０００６
【補正方法】変更
【補正の内容】
【０００６】
上記課題に鑑みて、本発明の実施形態に係る放射線検出装置は、筐体と、筐体の中に重ねて配された第１の放射線撮像パネル及び第２の放射線撮像パネルと、第１の放射線撮像パネルと第２の放射線撮像パネルとの間に配された放射線吸収部と、を含む放射線検出装置であって、放射線吸収部は、Ｋ吸収端のエネルギが３８ｋｅＶ以上かつ６０ｋｅＶ以下に存在する元素を含む第１部材と、第２部材と、を含み、前記第１部材が、ランタン、セリウム、プラセオジウム、ネオジウム、プロメチウム、サマリウム、ユウロピウム、ガドリニウム、テルビウム、ジスプロシウム、ホルミウム、エルビウム、及び、ツリウムのうち少なくとも１つの元素を含む粒子が添加された樹脂を含み、前記第２部材が、銅、銀、亜鉛、スズのうち少なくとも１つを含む金属板を含むことを特徴とする。また、本発明の実施形態に係る放射線検出装置は、筐体と、前記筐体の中に重ねて配された第１の放射線撮像パネル及び第２の放射線撮像パネルと、前記第１の放射線撮像パネルと前記第２の放射線撮像パネルとの間に配された放射線吸収部と、を含む放射線検出装置であって、前記放射線吸収部は、Ｋ吸収端のエネルギが３８ｋｅＶ以上かつ６０ｋｅＶ以下に存在する元素を含む第１部材と、前記元素以外の元素を含む第２部材と、を含み、前記第１部材が、ランタン、セリウム、プラセオジウム、ネオジウム、プロメチウム、サマリウム、ユウロピウム、ガドリニウム、テルビウム、ジスプロシウム、ホルミウム、エルビウム、及び、ツリウムのうちから選ばれたうち少なくとも１つのランタノイドを含む化合物粒子が添加された樹脂を含み、前記第２部材が、銅、銀、亜鉛、スズのうち少なくとも１つを含む金属板を含むことを特徴とする。また、本発明の実施形態に係る放射線検出装置は、筐体と、前記筐体の中に重ねて配された第１の放射線撮像パネル及び第２の放射線撮像パネルと、前記第１の放射線撮像パネルと前記第２の放射線撮像パネルとの間に配された放射線吸収部と、を含む放射線検出装置であって、前記放射線吸収部は、ランタン、セリウム、プラセオジウム、ネオジウム、プロメチウム、サマリウム、ユウロピウム、ガドリニウム、テルビウム、ジスプロシウム、ホルミウム、エルビウム、及び、ツリウムのうち少なくとも１つの元素を含む粒子と、樹脂と、を含む第１部材と、銅、銀、亜鉛、スズのうち少なくとも１つを含む金属板を含む第２部材と、を含むことを特徴とする。